(57)【要約】【課題】従来のフィルムアンテナによると，アンテナ素子を構成する導電体の網目が目立ったり，フィルムアンテナそのものの存在が目立ったりすることにより，自動車の窓ガラスに使用する場合には運転者の注意力を奪ったり，視野を遮ったりするといった問題が有った。また，フィルムアンテナそのものの存在が目立つことにより，自動車自体の美観を損ねるといった問題も有った。【解決手段】縦と横の細い導電体で構成されたアンテナ素子は，左端では徐々に縦方向の導電体の間隔が広がり，更に下端では徐々に横方向の導電体の間隔が広がるように構成している。このようにアンテナ素子を構成する網状の導体の輪郭付近で徐々に導電体の間隔を広げることにより，自然に導電体の密度が小さくなるので，導電体を目立たないようにする事ができる。【選択図】  図２
2006262414.tif 000002
【特許請求の範囲】
【請求項１】
網目の密度が均一でない網状の導電体と樹脂で成形されたフィルム状で構成された事を特徴とするフィルムアンテナ。
【請求項２】
前記網状の導電体の網目は，網状の導体の輪郭付近における密度がその他の部分に比べて粗く構成された請求項１に記載のフィルムアンテナ。
【請求項３】
前記フィルムアンテナは外周から中央に向かって厚くなるように加工されている請求項１又は請求項２の何れかに記載のフィルムアンテナ。
【発明の詳細な説明】
【技術分野】
【０００１】
本発明は，主に自動車などの移動体に利用されるフィルムアンテナに関し，詳しくはそのアンテナ素子の構造，アンテナを構成する樹脂フィルムの形状に関する。
【背景技術】
【０００２】
従来のフィルムアンテナは，アンテナ素子を構成する導電体の形状が均一であったため，樹脂フィルムが透明であってもアンテナ素子が目立つ構成となっていた。（例えば，特許文献１参照）
【０００３】
【特許文献１】特開昭６４−０４９３０２号公報
【発明の開示】
【発明が解決しようとする課題】
【０００４】
しかし，従来のフィルムアンテナによると，アンテナ素子を構成する導電体の網目が目立ったり，フィルムアンテナそのものの存在が目立ったりすることにより，自動車の窓ガラスに使用する場合には運転者の注意力を奪ったり，視野を遮ったりするといった問題が有った。
また，フィルムアンテナそのものの存在が目立つことにより，自動車自体の美観を損ねるといった問題も有った。
そこで本願においては，こうした問題点を解決するためになされたものであり，
その目的は，アンテナの性能を損なうことなく，アンテナ素子を構成する導電体の網目が目立たなくしたフィルムアンテナを提供することを課題とする。
他の目的は，フィルムアンテナそのものの存在が目立たないフィルムアンテナを提供することを課題とする。
他の目的は，フィルムアンテナを取り付ける自動車などの移動体の美観を損ねないフィルムアンテナを提供することを課題とする。
他の目的は，基材と保護フィルムとの引き剥がし強度を増すことができるフィルムアンテナを提供することを課題とする。
【課題を解決するための手段】
【０００５】
上記課題を解決するために，請求項１の発明は，樹脂フィルムと，網目の密度が均一でない網状の導電体とで構成される。
【０００６】
請求項２の発明は，樹脂フィルムと，網状の導体の輪郭付近における密度がその他の部分に比べて粗く構成された網状の導電体とで構成される。
【０００７】
請求項３の発明は，外周の断面が，中央に向かって厚くなるように加工された樹脂フィルムと，網目の密度が均一でない網状の導電体とで構成される。
【発明の効果】
【０００８】
請求項１の発明によれば，樹脂フィルムと，網目の密度が均一でない網状の導電体とでフィルムアンテナ構成したので，網状の導電体を配置した部分と配置されていない部分の境を目立たなくすることができる。
【０００９】
請求項２の発明によれば，樹脂フィルムと，網状の導体の輪郭付近における密度がその他の部分に比べて粗く構成された網状の導電体とで構成したので，特に目立ちやすいフィルム網状の導体の輪郭付近において，網状の導電体を配置した部分と配置されていない部分の境を目立たなくすることができる。
【００１０】
請求項３の発明によれば，外周の断面が，中央に向かって厚くなるように加工された樹脂フィルムと，網目の密度が均一でない網状の導電体とで構成したので，フィルムアンテナの外周の境が目立たなくなり，フィルムアンテナそのものの存在を気付かせないフィルムアンテナを提供できる。
【発明を実施するための最良の形態】
【００１１】
以下に，本発明を具体化した実施形態の例を，図面を基に詳細に説明する。
図１，図２，図３，図４は本発明に係るフィルムアンテナ１を示し，図１はフィルムアンテナ１の外観図，図２，図３は網状の導体の輪郭付近における拡大図，図４はフィルムアンテナ１の外周付近の拡大断面図を示している。このようにフィルムアンテナ１の外周の端面７を斜めに加工することにより，フィルムアンテナ１の存在を更に目立たなくしている。
【実施例１】
【００１２】
図１に示すように，フィルムアンテナ１は，基材（ベースを構成する部分）２の樹脂フィルムと網目状に形成された導電体６とで構成されている。樹脂フィルムは視認性を確保するために，透明または光を透過するポリエステル，ポリエチレン，アクリル，塩化ビニル，ＰＥＴ，ＡＢＳ，ポリプロピレンなどが使用される。樹脂フィルムの厚さは５０〜２５０ミクロンである。  アンテナ素子３は，基材２の樹脂フィルムに接着した厚さ１０ミクロンの銅やアルミニュームなどの金属箔をエッチングなどにより網目状に形成している。網目の線幅は１０ミクロン，線と線の間隔は１０ミクロン〜５ミリメートルである。
網目状に形成された導電体６によるアンテナ素子３は，折り返しダイポールアンテナを構成していて，給電部４を介して同軸ケーブルやフィーダー線による給電線５により受信装置に接続される。アンテナ素子３の上には，アンテナ素子３を保護するために基材２と同様の材質の保護フィルム８を設けている。保護フィルム８の厚さは５０〜２５０ミクロンで，基材２の樹脂フィルムおよび網目状の導電体６に接着剤９または熱圧着などの方法で固定されている。なお，保護フィルム８は必要に応じて使用されるため，無い状態で使用しても良い。また，保護フィルム８の代わりに，透明な樹脂塗料などでコーティングしても良い。
【００１３】
なお，フィルムアンテナ１は基材２の樹脂フィルムに塗布された接着材により，自動車などのガラス面に接着される。基材２の樹脂フィルムや保護フィルム８及び樹脂塗料には着色しても良い。
図２に示す網状の導電体６の輪郭付近における拡大図のように，縦と横の細い導電体６で構成されたアンテナ素子３は，左端では徐々に縦方向の導電体６の間隔が広がり，更に下端では徐々に横方向の導電体６の間隔が広がるように構成している。このようにアンテナ素子３を構成する網状の導体の輪郭付近で徐々に導電体６の間隔を広げることにより，自然に導電体６の密度が小さくなるので，導電体６を目立たないようにする事ができる。
更に，基材２と保護フィルム８が直に接する面積がフィルムアンテナ１の外周付近で大きくなるので，基材２と保護フィルム８との引き剥がし強度を増すことができる。
【００１４】
網目状に形成された導電体６により形成される折り返しダイポールアンテナは，図１に示すように，上下の設けた２つの横方向の網状の導体の幅に差を持たせることにより，広帯域にしている。なお，横方向の網状の導体の幅は等しくても良い。また，アンテナ素子３の形状は折り返しダイポールアンテナに限るものではなく，ダイポールやその他のタイプでも良い。
本発明のアンテナはＵＨＦ帯で使用され，このような網目で構成しても，網目の無い金属箔で構成した場合と同様に，必要な受信性能を満足することができる。
【００１５】
これまでの説明では，フィルムアンテナ１を自動車の窓ガラスに貼り付ける例を示したが，窓ガラスに貼り付けずに使用することもできる。例えば樹脂フィルムによる基材２を延長して取付け片を形成し，自動車のダッシュボード，ミラー，天井，窓枠などの内装部分に取付け片を接着剤９などにより固定しても良い。また，取付け片を自動車の内装部分の隙間に差し込んで固定しても良い。更に，取付け片は基材２を延長するだけでなく，基材２に別の部品を接合して設けても良い。なお，必要に応じて振動による動揺を抑えるために補助固定片を用いても良い。また，アンテナの傾きを補正するための構造部品を設けても良い。
また，このフィルムアンテナ１は車外や，家庭の窓や壁，部屋の内部及び外部に設置しても良い。また，携帯端末やコンピューターなどの電子機器に取り付けて使用しても良い。
更に，受信する電波が弱い場合は，フィルムアンテナ１の給電部４に増幅回路を設けたり，給電線５の途中に増幅器を設けても良い。
【００１６】
図３はフィルムアンテナ１の外周付近におけるフィルムアンテナ１の拡大断面図を示している。このように，端面７を斜めに加工することにより，基材２となる樹脂フィルムや保護フィルム８の境界が目立ちにくくなり，更にフィルムアンテナ１自体を目立たないようにしている。また，外周から中央に向かって徐々に厚くなるようにフィルムアンテナ１を成形または加工すれば，よりフィルムアンテナ１を目立たなくすることができる。
【００１７】
尚，本発明は上記実施の形態に限定されるものではなく，以下に例示するように，本発明の趣旨を逸脱しない範囲で各部の形状並びに寸法，材料などを適宜に変更して実施することも可能である。
例えば，アンテナ素子３を形成する導電体６の網目は四角形に限らず，六角形やその他の形状でもよいし，種々の形状を適宜組み合わせてもよい。図２，図３の網目の形状は，水平方向と垂直方向で構成しているが，これに限るものではなく，網目を全体に４５度傾けたものを使用しても良い。
また，アンテナ素子３を形成する導電体６は金属箔をエッチングしたものに限らず，導電性の塗料を網目状に印刷してもよい。更に金属線や導電性の繊維による糸により構成してもよい。
また，アンテナ素子３の導電体６は金属箔をパンチング加工で打ち抜いて作っても良い。
【図面の簡単な説明】
【００１８】
【図１】本発明に係るフィルムアンテナ１の外観図を示す。
【図２】図１のＢで示す網状の導体の輪郭付近における拡大図を示す。
【図３】図１のＡで示す網状の導体の輪郭付近における拡大図を示す。
【図４】フィルムアンテナ１の外周付近の拡大断面図を示す。
【符号の説明】
【００１９】
１…フィルムアンテナ，２…基材，３…アンテナ素子，４…給電部，５…給電線，６…導電体，７…端面，８…保護フィルム，９…接着剤
【図１】
2006262414.tif 000003
【図２】
2006262414.tif 000004
【図３】
2006262414.tif 000005
【図４】
2006262414.tif 000006